(57)【要約】【課題】  寿命に基づいてその低下を抑制できる。【解決手段】  ハードディスクレコーダ１０１は、ＨＤ装置１０３と、ＨＤ装置１０３が発する熱の温度を検出する温度計１３２と、温度計１３２が温度を検出した時点の時間を検出する計時装置１２２と、温度計１３２が複数の時点で検出した温度から、複数の時点それぞれにおけるＨＤ装置１０３の寿命の残りを算出し、寿命の減少量の加速度を算出し、加速度がしきい値を上回るか否かを判断する制御部１１０と、ＨＤ装置１０３が発する熱を排出するファン１１６と、ファン１１６の動作が正常か異常かを検出する検出部１２４と、ファン１１６の動作が正常か異常かに応じて、ファン１１６が排出した熱の出口を開放すべき旨の情報およびファン１１６への対処が必要な旨の情報のいずれかの情報を出力するＬＥＤ１１１とを含む。【選択図】        図１
2006172654.tif 000002
【特許請求の範囲】
【請求項１】
情報および温度を記録するハードディスクと、
前記ハードディスクが発する熱の温度を検出するための第１の検出手段と、
前記第１の検出手段が温度を検出した時点の時間を検出するための第２の検出手段と、
前記第１の検出手段が複数の時点で検出した温度から、前記複数の時点それぞれにおける前記ハードディスクの寿命の残りを算出するための第１の算出手段と、
前記複数の時点それぞれにおける前記ハードディスクの寿命の残りおよび前記複数の時点の間の時間差を用いて、前記寿命の減少量の加速度を算出するための第２の算出手段と、
前記第２の算出手段が算出した加速度がしきい値を上回るか否かを判断するための判断手段と、
前記ハードディスクが発する熱を排出するための排出手段と、
前記排出手段の動作が正常か否かを検出するための第３の検出手段と、
前記加速度がしきい値を超えたと前記判断手段が判断した場合、前記排出手段の動作が正常か否かに応じて、前記排出手段が排出した熱の出口を開放すべき旨の情報および前記排出手段への対処が必要な旨の情報のいずれかの情報を出力するための第１の出力手段と、
前記第１の算出手段が算出した寿命の残りを出力するための第２の出力手段と、
前記ハードディスクが記録した、前記第１の検出手段が複数の時点で検出した温度を出力するための第３の出力手段とを含む、ハードディスクレコーダ。
【請求項２】
情報および温度を記録するための記録手段と、
前記記録手段が発する熱の温度を検出するための第１の検出手段と、
前記第１の検出手段が温度を検出した時点の時間を検出するための第２の検出手段と、
前記第１の検出手段が複数の時点で検出した温度から、前記複数の時点それぞれにおける前記記録手段の寿命の残りを算出するための第１の算出手段と、
前記複数の時点それぞれにおける前記記録手段の寿命の残りおよび前記複数の時点の間の時間差を用いて、前記寿命の減少量の加速度を算出するための第２の算出手段と、
前記第２の算出手段が算出した加速度がしきい値を上回るか否かを判断するための判断手段と、
前記加速度がしきい値を超えたと前記判断手段が判断した場合、警告を表わす情報を出力するための出力手段とを含む、情報記録装置。
【請求項３】
前記警告を表わす情報は、前記記録手段が発する熱に対する警告を表わす情報を含む、請求項２に記載の情報記録装置。
【請求項４】
前記熱に対する警告を表わす情報は、前記記録手段が発する熱の排出が必要な旨の情報を含む、請求項３に記載の情報記録装置。
【請求項５】
前記情報記録装置は、
前記記録手段が発する熱を排出するための排出手段と、
前記排出手段の動作が正常か否かを検出するための第３の検出手段とをさらに含み、
前記出力手段は、前記排出手段の動作が正常か否かに応じて、複数の情報のいずれかを出力するための手段を含む、請求項２に記載の情報記録装置。
【請求項６】
前記複数の情報は、
前記排出手段が排出した熱の出口を開放すべき旨の情報と、
前記排出手段への対処が必要な旨の情報とを含む、請求項５に記載の情報記録装置。
【請求項７】
前記記録手段は、ハードディスクを含む、請求項２に記載の情報記録装置。
【請求項８】
前記情報記録装置は、前記第１の算出手段が算出した寿命の残りを出力するための手段をさらに含む、請求項２に記載の情報記録装置。
【請求項９】
前記情報記録装置は、前記記録手段が記録した、前記第１の検出手段が複数の時点で検出した温度を出力するための手段をさらに含む、請求項２に記載の情報記録装置。
【発明の詳細な説明】
【技術分野】
【０００１】
本発明は、情報記録装置およびハードディスクレコーダに関し、特に、時間や計数値の指定を受付ける情報記録装置およびハードディスクレコーダに関する。
【背景技術】
【０００２】
特許文献１に係るハードディスク記録装置は、ハードディスク記録媒体と、情報信号をハードディスク記録媒体に記録する記録装置と、記録媒体の外的要因を含む複数の項目に基づく動作状況を監視する監視装置と、監視装置による監視の結果を表示する表示装置とを含む。
【０００３】
この発明によると、装置が使用されていない時期にハードディスクを検査できると共に、ハードディスクの動作環境も故障の予測のための要因に加えることでより的確な予測が行なえる。
【０００４】
特許文献２に係る監視装置は、部品を搭載した電子機器において、機器上の基準位置に設置したセンサと、この基準位置の環境変量と各部品の環境変量の基準偏差を、部品に対応させて格納する第１のメモリと、部品毎に、環境変量と寿命係数との関係をデータ化して格納する第２のメモリと、部品毎の寿命の残り時間を格納する第３のメモリと、センサの検出信号を取り込み、部品に対応させて、この検出信号と第１、第２、第３のメモリからの対応する基準偏差、寿命係数、寿命の残り時間とを用いて、この検出時点での寿命の残り時間を求める第１の回路と、この求めた寿命の残り時間の検定を行い、寿命の残り時間がある場合、寿命の残り時間を第３のメモリに格納し、そうでない時に部品が寿命に達した旨の出力を行なう第２の回路とを含む。
【０００５】
この発明によると、装置の内部の複数の異なる部品に対し、各部品ごとにセンサを設けることなく、温度などの情報を取込み、個々のユーザの運用形態、および部品の特徴に応じて部品の寿命を判定できる。
【０００６】
しかしながら、特許文献１に開示されたように、外的要因を含む複数の項目に基づく動作状況を監視する場合、ハードディスクの寿命を知ることも、寿命の低下を抑制することも困難であるという問題点がある。特許文献２に開示されたように、基準偏差、寿命係数、および寿命の残り時間を用いて寿命の残り時間を求める場合には、寿命の低下を抑制することが困難であるという問題点がある。
【特許文献１】特開２００３−２５７１３５号公報
【特許文献２】特開２００１−９１４１３号公報
【発明の開示】
【発明が解決しようとする課題】
【０００７】
本発明は、上述の問題点を解決するためになされたものであって、その目的は、寿命に基づいてその低下を抑制できる情報記録装置およびハードディスクレコーダを提供することにある。
【課題を解決するための手段】
【０００８】
上記目的を達成するために、本発明のある局面にしたがうと、ハードディスクレコーダは、情報および温度を記録するハードディスクと、ハードディスクが発する熱の温度を検出するための第１の検出手段と、第１の検出手段が温度を検出した時点の時間を検出するための第２の検出手段と、第１の検出手段が複数の時点で検出した温度から、複数の時点それぞれにおけるハードディスクの寿命の残りを算出するための第１の算出手段と、複数の時点それぞれにおけるハードディスクの寿命の残りおよび複数の時点の間の時間差を用いて、寿命の減少量の加速度を算出するための第２の算出手段と、第２の算出手段が算出した加速度がしきい値を上回るか否かを判断するための判断手段と、ハードディスクが発する熱を排出するための排出手段と、排出手段の動作が正常か否かを検出するための第３の検出手段と、加速度がしきい値を超えたと判断手段が判断した場合、排出手段の動作が正常か否かに応じて、排出手段が排出した熱の出口を開放すべき旨の情報および排出手段への対処が必要な旨の情報のいずれかの情報を出力するための第１の出力手段と、第１の算出手段が算出した寿命の残りを出力するための第２の出力手段と、ハードディスクが記録した、第１の検出手段が複数の時点で検出した温度を出力するための第３の出力手段とを含む。
【０００９】
すなわち、第１の算出手段は、第１の検出手段が複数の時点で検出した温度から、複数の時点それぞれにおけるハードディスクの寿命の残りを算出する。第２の算出手段は、複数の時点それぞれにおけるハードディスクの寿命の残りおよび複数の時点の間の時間差を用いて、寿命の減少量の加速度を算出する。第１の出力手段は、寿命の減少量の加速度がしきい値を超えたと判断手段が判断した場合、排出手段の動作が正常か否かに応じて、排出手段が排出した熱の出口を開放すべき旨の情報および排出手段への対処が必要な旨の情報のいずれかの情報を出力する。第２の出力手段は、第１の算出手段が算出した寿命の残りを出力する。第３の出力手段は、ハードディスクが記録した、第１の検出手段が複数の時点で検出した温度を出力する。これにより、寿命に基づいて、排出手段が排出した熱の出口を開放すべきか排出手段への対処が必要かを知ることができる。それらを知ることができるので、寿命の減少量の加速度がしきい値を超えたことに対処できる。そのような対処により、ハードディスクの寿命の低下は抑制される。あわせて、寿命の残りを知ることができる。第１の検出手段が複数の時点で検出した温度も知ることができる。その結果、寿命に基づいてその低下を抑制でき、寿命の残りを知ることができ、寿命が減少する間にハードディスクが発した熱の温度を知ることができるハードディスクレコーダを提供することができる。
【００１０】
本発明の他の局面にしたがうと、情報記録装置は、情報および温度を記録するための記録手段と、記録手段が発する熱の温度を検出するための第１の検出手段と、第１の検出手段が温度を検出した時点の時間を検出するための第２の検出手段と、第１の検出手段が複数の時点で検出した温度から、複数の時点それぞれにおける記録手段の寿命の残りを算出するための第１の算出手段と、複数の時点それぞれにおける記録手段の寿命の残りおよび複数の時点の間の時間差を用いて、寿命の減少量の加速度を算出するための第２の算出手段と、第２の算出手段が算出した加速度がしきい値を上回るか否かを判断するための判断手段と、加速度がしきい値を超えたと判断手段が判断した場合、警告を表わす情報を出力するための出力手段とを含む。
【００１１】
すなわち、第１の算出手段は、第１の検出手段が複数の時点で検出した温度から、複数の時点それぞれにおける記録手段の寿命の残りを算出する。第２の算出手段は、複数の時点それぞれにおける記録手段の寿命の残りおよび複数の時点の間の時間差を用いて、寿命の減少量の加速度を算出する。出力手段は、寿命の減少量の加速度がしきい値を超えたと判断手段が判断した場合、警告を表わす情報を出力する。これにより、寿命に基づいて、寿命の減少量の加速度がしきい値を超えたことへの対処が必要なことを知ることができる。それを知ることができるので、寿命の減少量の加速度がしきい値を超えたことに対処できる。そのような対処により、ハードディスクの寿命の低下は抑制される。その結果、寿命に基づいてその低下を抑制できる情報記録装置を提供することができる。
【００１２】
また、上述の警告を表わす情報は、記録手段が発する熱に対する警告を表わす情報を含むことが望ましい。
【００１３】
すなわち、出力手段は、寿命の減少量の加速度がしきい値を超えたと判断手段が判断した場合、記録手段が発する熱に対する警告を表わす情報を出力する。第１の算出手段が算出する寿命は、記録手段が発する熱の温度から算出された寿命である。これにより、寿命の減少量の加速度がしきい値を超えたことに適切に対処できる。そのような対処により、ハードディスクの寿命の低下は適切に抑制される。その結果、寿命に基づいてその低下を適切に抑制できる情報記録装置を提供することができる。
【００１４】
また、上述の熱に対する警告を表わす情報は、記録手段が発する熱の排出が必要な旨の情報を含むことが望ましい。
【００１５】
すなわち、出力手段は、寿命の減少量の加速度がしきい値を超えたと判断手段が判断した場合、記録手段が発する熱の排出が必要な旨の情報を出力する。記録手段が発する熱の排出は、記録手段の寿命の低下を抑制するための簡便な対処である。これにより、寿命の減少量の加速度がしきい値を超えたことに適切かつ簡便に対処できる。そのような対処により、ハードディスクの寿命の低下は適切かつ簡便に抑制される。その結果、寿命に基づいてその低下を適切かつ簡便に抑制できる情報記録装置を提供することができる。
【００１６】
また、上述の情報記録装置は、記録手段が発する熱を排出するための排出手段と、排出手段の動作が正常か否かを検出するための第３の検出手段とをさらに含むことが望ましい。出力手段は、排出手段の動作が正常か否かに応じて、複数の情報のいずれかを出力するための手段を含むことが望ましい。
【００１７】
すなわち、出力手段は、排出手段の動作が正常か否かに応じて、複数の情報のいずれかを出力する。これにより、寿命の減少量の加速度がしきい値を超えたことにより適切に対処できる。そのような対処により、ハードディスクの寿命の低下はより適切に抑制される。その結果、寿命に基づいてその低下をより適切に抑制できる情報記録装置を提供することができる。
【００１８】
また、上述の複数の情報は、排出手段が排出した熱の出口を開放すべき旨の情報と、排出手段への対処が必要な旨の情報とを含むことが望ましい。
【００１９】
すなわち、出力手段は、排出手段の動作が正常か否かに応じて、排出手段が排出した熱の出口を開放すべき旨の情報と排出手段への対処が必要な旨の情報とを含む、複数の情報のいずれかを出力する。これにより、寿命の減少量の加速度がしきい値を超えたことにさらに適切に対処できる。そのような対処により、ハードディスクの寿命の低下はさらに適切に抑制される。その結果、寿命に基づいてその低下をさらに適切に抑制できる情報記録装置を提供することができる。
【００２０】
また、上述の記録手段は、ハードディスクを含むことが望ましい。
【００２１】
また、上述の情報記録装置は、第１の算出手段が算出した寿命の残りを出力するための手段をさらに含むことが望ましい。
【００２２】
すなわち、寿命の残りを出力するための手段は、第１の算出手段が算出した寿命の残りを出力する。これにより、寿命の残りを知ることができる。その結果、寿命に基づいてその低下を抑制でき、かつ寿命の残りを知ることができる情報記録装置を提供することができる。
【００２３】
また、上述の情報記録装置は、記録手段が記録した、第１の検出手段が複数の時点で検出した温度を出力するための手段をさらに含むことが望ましい。
【００２４】
すなわち、温度を出力するための手段は、第１の検出手段が複数の時点で検出した温度を出力する。これにより、第１の検出手段が複数の時点で検出した温度も知ることができる。その結果、寿命が減少する間に記録手段が発した熱の温度を知ることができる情報記録装置を提供することができる。
【発明の効果】
【００２５】
本発明に係る情報記録装置およびハードディスクレコーダは、寿命に基づいてその低下を抑制できる。
【発明を実施するための最良の形態】
【００２６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２７】
図１のハードディスクレコーダ１０１は、複数の種類のデジタル記録メディア再生装置を内蔵し、記録メディアから再生されたコンテンツなど供給される各種コンテンツを、装置外部に予め接続されたモニタ装置１１２に映像信号または音声信号として視聴可能なように出力する情報記録装置である。
【００２８】
ハードディスクレコーダ１０１は、ＤＶＤ（Digital Versatile Disc）読取部１０２、ＨＤ（Hard Disk）装置１０３、放送局から送信されるデジタル放送信号を受信する外部のアンテナ１１３を接続するチューナ１０４、ＯＳＤ（On Screen Display)１５１を内蔵するデコーダ１０５、メモリ１０６、映像出力部１０７、音声出力部１０８、リモコン（リモートコントローラの略）受信部１０９、制御部１１０、ＬＥＤ（Light Emitting Diode）１１１、外部へ情報を供給するための外部装置１１５を接続する外部Ｉ／Ｆ（Inter Face）１１４、ファン１１６、およびリモコン１１７を備える。
【００２９】
ＤＶＤ読取部１０２は光ディスク（本実施の形態の場合ＤＶＤディスク）に記録されたデジタルコンテンツの情報を読出す装置である。本実施の形態の場合、ＤＶＤディスクには、デジタルコンテンツの情報が記録されている。
【００３０】
ＨＤ装置１０３は、ユーザ所望のデジタルコンテンツの情報およびＨＤ装置１０３自身の温度をそれぞれ信号として記録し、その記録したデジタルコンテンツの情報および温度をそれぞれ信号として読出すハードディスクである。ここで、ハードディスクに記録される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００３１】
チューナ１０４は、アンテナ１１３を介して放送局から発信されるデジタル放送信号を入力すると、制御部１１０により指定されるチャンネルの放送信号（デジタルコンテンツの信号）を抽出して出力する。
【００３２】
デコーダ１０５は、ＤＶＤ読取部１０２により再生されたデジタルコンテンツの信号、ＨＤ装置１０３がハードディスクから読出したデジタルコンテンツの信号、およびチューナ１０４が受信したデジタルコンテンツの信号のうちのいずれかが制御部１１０の切換制御により与えられると、与えられたそのデジタル信号を入力して復号（デコード）して出力する。
【００３３】
メモリ１０６には、チューナ１０４が受信可能な放送チャンネルが予めチャンネルスキャン（オートスキャン）して取得されて格納され、また、制御部１１０の動作プログラムが格納される。
【００３４】
音声出力部１０８は、デコーダ１０５が復号した音声信号をモニタ装置１１２が出力可能な音声信号に変換してモニタ装置１１２に対して出力する。リモコン受信部１０９は、赤外線を介してリモコン１１７から発信される各種の指令信号を受信して、その指令信号を制御部１１０に伝送する。
【００３５】
制御部１１０は、メモリ１０６に格納された動作プログラムに基づいて装置各部の制御を行なう。本実施の形態の場合、制御部１１０は、計時装置１２２を内蔵する。計時装置１２２は、温度計１３２が温度を検出した時点の時間を検出する。本実施の形態の場合、デコーダ１０５および制御部１１０（図１において破線で囲まれたブロック）は、１つのＩＣ（Integrated Circuit）の一部である。
【００３６】
ＬＥＤ１１１は、ＨＤ装置１０３の内部の温度やファン１１６の動作に応じて点灯する。これにより、ハードディスクレコーダ１０１が正常に動作しているか否かをユーザに通知する。ファン１１６は、ＨＤ装置１０３が発する熱を外部に排出する。リモコン１１７は、ユーザが各種の指令を入力するために操作される装置であり、その指令に対応する赤外線信号をリモコン受信部１０９に発信する。
【００３７】
ＨＤ装置１０３は、信号の記録、信号の読出し、およびＨＤ装置１０３の各回路の動作を制御するサブ制御部１３１と、ＨＤ装置１０３が発する熱の温度を検出する温度計１３２とを含む。本実施の形態の場合、温度計１３２は、信号（記録媒体から読み出された信号）が入力されるアンプ（図示せず）に内蔵されている。本実施の形態の場合、ＨＤ装置１０３が情報を記録する記録媒体は、複数の領域を含む。第１の領域は、映像のデータを記録する領域である。第２の領域は、ＨＤ装置１０３の温度などを記録する領域である。これにより、ＨＤ装置１０３は、映像のデータを記録する装置および温度などを記録する装置を兼ねることとなる。
【００３８】
デコーダ１０５は、ＯＳＤ１５１を含む。ＯＳＤ１５１は、制御部１１０により与えられた情報に基づいて画像データを生成し、それをモニタ装置１１２の画面に可視表示するために映像出力部１０７に対して出力する。
【００３９】
ファン１１６には、検出部１２４が取付けられている。検出部１２４は、ファン１１６の動作が正常か否かを検出する。
【００４０】
図２を参照して、ハードディスクレコーダ１０１で実行されるプログラムは、動作の監視に関し、以下のような制御構造を有する。
【００４１】
ステップ２００（以下、ステップをＳと略す。）にて、制御部１１０は、ＨＤ装置１０３のサブ制御部１３１に温度を問い合わせる旨の信号を出力する。サブ制御部１３１は、温度計１３２を制御する。温度計１３２は、ＨＤ装置１０３の内部の温度を検出する。サブ制御部１３１は、ＨＤ装置１０３の内部の温度を制御部１１０に出力する。
【００４２】
Ｓ２０２にて、制御部１１０の計時装置１２２は、電源が投入されていた時間（ハードディスクレコーダ１０１が稼動した時間（映像の録画や再生を実施した時間）および待機した時間の総和）を検出する。ハードディスクレコーダ１０１が稼動状態にある場合、制御部１１０の計時装置１２２は、連続して稼動している時間もあわせて検出する。制御部１１０は、計時装置１２２が検出した時間および温度計１３２が検出した温度をＨＤ装置１０３に出力する（連続して稼動している時間が検出されている場合、その時間も出力される）。ＨＤ装置１０３は、時間および温度を記録する（連続して稼動している時間が検出されている場合、その時間も記録される）。
【００４３】
Ｓ２０４にて、制御部１１０は、ハードディスクレコーダ１０１の使用の開始から所定の時間（本実施の形態の場合、２時間とする。１回あたりの使用時間が２時間未満の場合、温度の上昇により寿命が影響を受けることが少ないからである。）が経過したか否かを判断する。所定の時間が経過したと判断した場合（Ｓ２０４にてＹＥＳ）、処理はＳ２０６へと移される。もしそうでないと（Ｓ２０４にてＮＯ）、処理はメインルーチン（ユーザの指示に応じて映像の記録や再生を行なう処理）に復帰する。
【００４４】
Ｓ２０６にて、制御部１１０は、寿命の消費量を算出する。寿命の消費量が算出されると、制御部１１０は、寿命の残り（本実施の形態の場合、寿命の残りはＨＤ装置１０３に記録されている）から、自らが算出した寿命の消費量を差引くことにより、新たな寿命の残りを算出する。新たな寿命の残りが算出されると、制御部１１０は、Ｓ２０２にて計時装置１２２が検出した時間と新たな寿命の残りとを、ＨＤ装置１０３に記録させる。新たに寿命の残りを記録させた後も、もとの寿命の残りはそのまま記録される。後述するように、図２のフローチャートが示す処理は繰返されるので、制御部１１０は、温度計１３２が複数の時点で検出した温度から、複数の時点それぞれにおけるＨＤ装置１０３の寿命を算出することとなる。寿命の消費量を算出する式には、さまざまな種類がある。寿命の消費量を算出する式は、ハードディスクレコーダ１０１のメーカが自由に選択できる。
【００４５】
Ｓ２０８にて、制御部１１０は、ＨＤ装置１０３に記録された複数の時点それぞれにおけるＨＤ装置１０３の寿命の残りおよび複数の時点の間の時間差を用いて、ＨＤ装置１０３の寿命の減少量の加速度を算出する。この加速度は、「寿命の残り」の差をそれらの残りと共に記録された「時間」の差で除算することにより得られる。
【００４６】
Ｓ２１０にて、制御部１１０は、自らが算出した寿命の減少量の加速度がしきい値を上回るか否かを判断する。しきい値は予めハードディスクレコーダ１０１のメーカによりＨＤ装置１０３に記録されている。加速度がしきい値を上回ると判断した場合（Ｓ２１０にてＹＥＳ）、処理はＳ２１２へと移される。もしそうでないと（Ｓ２１０にてＮＯ）、処理はＳ２２２へと移される。
【００４７】
Ｓ２１２にて、制御部１１０は、正常に稼動しているか否かを問い合わせる信号をファン１１６に出力する。ファン１１６の検出部１２４は、ファン１１６の動作が正常か否かを検出する。検出部１２４は、検出した結果を表わす信号を制御部１１０に出力する。制御部１１０は、正常に稼動しているか否かを表わす信号を受付ける。
【００４８】
Ｓ２１４にて、制御部１１０は、検出部１２４から受付けた信号が正常に稼動していることを表わす信号か否かを判断する。正常に稼動していることを表わす信号と判断した場合（Ｓ２１４にてＹＥＳ）、処理はＳ２１６へと移される。もしそうでないと（Ｓ２１４にてＮＯ）、処理はＳ２１８へと移される。
【００４９】
Ｓ２１６にて、制御部１１０は、一定の時間を超えても、温度計１３２が検出した温度がしきい値を上回るか否かを判断する。ここでいう「一定の時間」および「しきい値」はいずれも予めハードディスクレコーダ１０１のメーカによりＨＤ装置１０３に記録されている。一定の時間を超えても、温度がしきい値を上回ると判断した場合（Ｓ２１６にてＹＥＳ）、処理はＳ２１８へと移される。もしそうでないと（Ｓ２１６にてＮＯ）、処理はＳ２２０へと移される。
【００５０】
Ｓ２１８にて、制御部１１０は、ＬＥＤ１１１のうち、ハードディスクレコーダ１０１が故障したことを表わすＬＥＤを点灯させる。Ｓ２２０にて、制御部１１０は、ＬＥＤ１１１のうち、ハードディスクレコーダ１０１の周囲を点検してファン１１６が排出した熱の出口を開放すべき旨を表わすＬＥＤを点灯させる。
【００５１】
Ｓ２２２にて、制御部１１０は、リモコン受信部１０９がリモコン１１７から予め受付けた信号を検出する。信号が検出されると、制御部１１０は、リモコン受信部１０９が予め受付けた信号が、ハードディスクレコーダ１０１の寿命を表示すべき旨を表わすか否かを判断する。寿命を表示すべき旨を表わすと判断した場合（Ｓ２２２にてＹＥＳ）、処理はＳ２２４へと移される。もしそうでないと（Ｓ２２２にてＮＯ）、処理はメインルーチンに復帰する。
【００５２】
Ｓ２２４にて、制御部１１０は、ＯＳＤ１５１にＨＤ装置１０３が記録した寿命の残りを出力する。ＯＳＤ１５１は、寿命の残りを表わす文字データを生成する。映像出力部１０７は、生成された文字データ（制御部１１０が算出した寿命の残りを表わす文字データ）をモニタ装置１１２に出力する。モニタ装置１１２は、寿命の残りを表示する。
【００５３】
以上のような構造およびフローチャートに基づく、ハードディスクレコーダ１０１の動作について説明する。
【００５４】
［ファンの外側に物が置かれている場合］
サブ制御部１３１は、ＨＤ装置１０３の内部の温度を制御部１１０に出力する（Ｓ２００）。温度が出力されると、ＨＤ装置１０３は、時間および温度を記録する（Ｓ２０２）。図３を参照して、本実施の形態においてＨＤ装置１０３に記録される時間および温度は、ハードディスクレコーダ１０１が稼動した時間（映像の録画や再生を実施した時間）および待機した時間の総和を表わす「時間（合計）」と、ＨＤ装置１０３の温度計１３２が検出した温度と、ハードディスクレコーダ１０１が連続して稼動した時間を表わす「時間（連続）」とを含む。本実施の形態において、制御部１１０から時間（連続）が出力されなかった場合、ＨＤ装置１０３に記録される時間（連続）の値は「００：００：００」となる。
【００５５】
時間および温度が記録されると、制御部１１０は、ハードディスクレコーダ１０１の使用の開始から所定の時間が経過したか否かを判断する（Ｓ２０４）。この場合、所定の時間が経過したとすると（Ｓ２０４にてＹＥＳ）、制御部１１０は、Ｓ２０２にて計時装置１２２が検出した時間と新たな寿命の残りとを、ＨＤ装置１０３に記録させる（Ｓ２０６）。
【００５６】
上述したように、寿命の消費量を算出する式は、ハードディスクレコーダ１０１のメーカが自由に選択できる。以下に、本実施の形態におけるその式について説明する。寿命の消費量を算出する式は、次の事柄を前提として導き出される。第１の前提は、一度寿命の消費量を算出した時、ハードディスクレコーダ１０１が稼動中であれば、次に寿命の消費量を算出するまで、ハードディスクレコーダ１０１は稼動し続けているとみなすことである。同様に、ハードディスクレコーダ１０１が待機中であれば、次に寿命の消費量を算出するまで、ハードディスクレコーダ１０１は待機し続けているとみなす。第２の前提は、ハードディスクレコーダの周囲の温度が１０℃上昇すると、ハードディスクレコーダの寿命は半減する（寿命の消費量は、稼動時の温度が１０℃上昇すると倍増する）と言われていることである。第３の前提は、ハードディスクレコーダ１０１が気温２５℃の環境下に置かれている時を基準として寿命の消費量を算出することである。これらの前提における、寿命の消費量を算出する式は、以下の通りである。
【００５７】
Ｙ＝Ｎ×２（Ｘ−２５）／１０
ただし、Ｘ：温度計１３２が検出したセ氏温度
Ｙ：寿命の消費量
Ｎ：寿命の消費量を前回算出した後に経過した時間
本実施の形態の場合、ハードディスクレコーダ１０１の販売時における寿命の残りは、７年とする。この寿命の残りは、次の想定の下で導き出されている。想定の第１は、稼動によりハードディスクレコーダ１０１の周囲の温度が１日４時間の間１０℃上昇するという想定である。想定の第２は、待機によりハードディスクレコーダ１０１の周囲の温度が１日２０時間の間２５℃に維持されるという想定である。この場合、ハードディスクレコーダ１０１の販売時における寿命の残り（７年）を上述の式により時間に換算すると、寿命の残りは、次の式により７１５４０時間となる。
【００５８】
（寿命の残り）＝７年×３６５日／年×｛（２４−４）×２（２５−２５）／１０
＋４×２（３５−２５）／１０｝時間／日
＝７１５４０時間
時間と新たな寿命の残りとが記録されると、制御部１１０は、ＨＤ装置１０３に記録された複数の時点それぞれにおけるＨＤ装置１０３の寿命の残りおよび複数の時点の間の時間差を用いて、ＨＤ装置１０３の寿命の減少量の加速度を算出する（Ｓ２０８）。加速度が算出されると、制御部１１０は、自らが算出した寿命の減少量の加速度がしきい値を上回るか否かを判断する（Ｓ２１０）。
【００５９】
加速度がしきい値を上回ると判断した場合（Ｓ２１０にてＹＥＳ）、ファン１１６の検出部１２４は、ファン１１６の動作が正常か否かを検出する。制御部１１０は、正常に稼動しているか否かを表わす信号を検出部１２４から受付ける（Ｓ２１２）。信号が受付けられると、制御部１１０は、検出部１２４から受付けた信号が正常に稼動していることを表わす信号か否かを判断する（Ｓ２１４）。この場合、正常に稼動していることを表わす信号と判断されるので（Ｓ２１４にてＹＥＳ）、制御部１１０は、一定の時間を超えても、温度計１３２が検出した温度がしきい値を上回るか否かを判断する（Ｓ２１６）。まだ「一定の時間」が経過する前であれば（Ｓ２１６にてＮＯ）、制御部１１０は、ＬＥＤ１１１のうち、ハードディスクレコーダ１０１の周囲の点検してファン１１６が排出した熱の出口を開放すべき旨を表わすＬＥＤを点灯させる（Ｓ２２０）。これにより、ＬＥＤ１１１は、加速度がしきい値を超えたと制御部１１０が判断した場合、ファン１１６の動作が正常か否かに応じて、ＨＤ装置１３が発する熱の排出が必要な旨の情報（ファン１１６が排出した熱の出口を開放すべき旨の情報およびファン１１６への対処が必要な旨の情報のいずれかの情報）を出力することとなる。
【００６０】
ＬＥＤ１１１が点灯すると、制御部１１０は、リモコン受信部１０９がリモコン１１７から予め受付けた信号が、ハードディスクレコーダ１０１の寿命を表示すべき旨を表わすか否かを判断する（Ｓ２２２）。寿命を表示すべき旨を表わすと判断した場合（Ｓ２２２にてＹＥＳ）、モニタ装置１１２は、寿命の残りを表示する（Ｓ２２４）。
【００６１】
寿命の残りが表示されると、処理はメインルーチンへ復帰する。メインルーチンへの復帰後、所定の時間（本実施の形態の場合、この「所定の時間」は、ハードディスクレコーダ１０１のメーカが予め設定する。ここでは、「所定の時間」は、３０分とする。ハードディスクレコーダ１０１が発する熱の温度は３０分程度でほぼ一定になることが多いからである。）が経過すると、Ｓ２００〜Ｓ２１４の処理を経て（これにより、図２のフローチャートが示す処理は繰返される）、制御部１１０は、一定の時間を超えても、温度計１３２が検出した温度がしきい値を上回るか否かを判断する（Ｓ２１６）。温度が高いことに対する対策が何らとられなければ、最終的には「一定の時間」が経過するので（Ｓ２１６にてＹＥＳ）、制御部１１０は、ＬＥＤ１１１のうち、ハードディスクレコーダ１０１が故障したことを表わすＬＥＤを点灯させる（Ｓ２１８）。
【００６２】
［ファンが故障した場合］
Ｓ２００〜Ｓ２１２の処理を経て、制御部１１０は、検出部１２４から受付けた信号が正常に稼動していることを表わす信号か否かを判断する（Ｓ２１４）。この場合、異常があることを表わす信号と判断されるので（Ｓ２１４にてＮＯ）、制御部１１０は、ＬＥＤ１１１のうち、ハードディスクレコーダ１０１が故障したことを表わすＬＥＤを点灯させる（Ｓ２１８）。これにより、ＬＥＤ１１１は、加速度がしきい値を超えたと制御部１１０が判断した場合、ファン１１６の動作が正常か否かに応じて、ＨＤ装置１３が発する熱の排出が必要な旨の情報（ファン１１６が排出した熱の出口を開放すべき旨の情報およびファン１１６への対処が必要な旨の情報のいずれかの情報）を出力することとなる。
【００６３】
ユーザがハードディスクレコーダ１０１をメーカに持込むと、サービス担当者がリモコン受信部１０９にＨＤ装置１０３に記憶されたデータを出力する旨の信号を送信する。外部Ｉ／Ｆ１１４は、ＨＤ装置１０３が記録した、温度計１３２が複数の時点で検出した温度を外部装置１１５に出力する。
【００６４】
以上のようにして、本実施の形態に係るハードディスクレコーダは、寿命の残りが減少する加速度に基づいて、ユーザに注意を促す旨の情報を出力する。あわせて、本実施の形態に係るハードディスクレコーダは、動作時の環境を表わすデータから、寿命の残りを提示する。あわせて、ハードディスクレコーダが故障によりメーカに持込まれたとき、サービス担当者は、ハードディスクレコーダがどのような環境で使用されていたか確認できる。どのような環境で使用されていたか確認されると、故障の原因を推測することが容易になる。これにより、ユーザはハードディスクレコーダの寿命を知ることができ、かつ寿命を低下させないための対策（ハードディスクレコーダの動作時の環境を改善するなどの対策）を取ることができる。ハードディスクレコーダのメーカは、ハードディスクレコーダの故障時にその原因を容易に推測できる。その結果、故障の原因を推測でき、寿命を容易に知ることができ、かつ寿命に基づいてその低下を抑制できるハードディスクレコーダを提供することができる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明の実施の形態に係るハードディスクレコーダの全体構成図である。
【図２】本発明の実施の形態に係る動作の監視処理の制御手順を示すフローチャートである。
【図３】本発明の実施の形態に係るＨＤ装置が記録した時間および温度を表わす図である。
【符号の説明】
【００６７】
１０１  ハードディスクレコーダ、１０２  ＤＶＤ読取部、１０３  ＨＤ装置、１０４  チューナ、１０５  デコーダ、１０６  メモリ、１０７  映像出力部、１０８  音声出力部、１０９  リモコン受信部、１１０  制御部、１１１  ＬＥＤ、１１２  モニタ装置、１１３  アンテナ、１１４  外部Ｉ／Ｆ、１１５  外部装置、１１６  ファン、１１７  リモコン、１２２  計時装置、１２４  検出部、１３１  サブ制御部、１３２  温度計、１５１  ＯＳＤ。
【図１】
2006172654.tif 000003
【図２】
2006172654.tif 000004
【図３】
2006172654.tif 000005